(57)【要約】【課題】媒体上に形成された画像を読み取り可能な電子筆記具の小径化を図る。【解決手段】筆記検知機能部６２２は、ペンチップ６９、ペンチップ支持部材６２２ａ、ペンチップ留め部材６２２ｂ、付勢バネ６２２ｃ、継ぎ手部材６２２ｄ、筆圧検知スイッチ６２を備える。ペンチップ６９は、ペン部の軸心に対し所定の角度傾いて配置され、ペン部の軸心を境界として一方側に配置されている。継ぎ手部材６２２ｄは、ペンチップ６９と筆圧検知スイッチ６２との間に位置し、ペンチップ６９よりも後方側に位置する筆圧検知スイッチ６２に、ペンチップ６９に作用する媒体からの圧力（筆圧）を伝達する。継ぎ手部材６２２ｄは、ペン部の軸心に対する傾きがペンチップ６９の傾きよりも小さい状態で配置されている。【選択図】図１４
2009181507.tif 000002
【特許請求の範囲】
【請求項１】
ペン本体部と、
前記ペン本体部の先端部に当該ペン本体部の軸心に対して傾いた状態で配置され、媒体への筆記を可能とするペン芯と、
前記ペン芯よりも前記ペン本体部の後端部側に配置され、当該ペン芯に作用する前記媒体からの圧力を検知する検知部と、
前記検知部の後端よりも前記ペン本体部の先端部側に設けられ、当該検知部による検知結果に基づき媒体に付された画像の読み取りを行う読み取り部と、
前記ペン本体部の軸心に対する傾きが前記ペン芯の前記傾きよりも小さい状態で当該ペン芯と前記検知部との間に配置され、当該ペン芯に作用する媒体からの圧力を当該検知部に伝達する伝達部材と、
を含む電子筆記具。
【請求項２】
前記読み取り部は、前記検知部の先端よりも前記ペン本体部の先端部側に設けられていることを特徴とする請求項１記載の電子筆記具。
【請求項３】
前記伝達部材は、前記ペン本体部の軸心と略平行に配置されていることを特徴とする請求項１又は２に記載の電子筆記具。
【請求項４】
前記ペン芯の先端部は、前記ペン本体部の軸心上に略位置することを特徴とする請求項１乃至３のいずれかに記載の電子筆記具。
【請求項５】
前記伝達部材を前記ペン芯方向に向けて付勢する付勢部材を更に備えることを特徴とする請求項１乃至４のいずれかに記載の電子筆記具。
【請求項６】
前記伝達部材は、前記ペン本体部の前後方向にスライド可能に設けられ、
前方へスライドした前記伝達部材を停止させ、後方へスライドした当該伝達部材を停止させる停止部を更に備えることを特徴とする請求項１乃至５のいずれかに記載の電子筆記具。
【請求項７】
前記ペン芯を着脱可能な状態で保持する保持部材を更に備えることを特徴とする請求項１乃至６のいずれかに記載の電子筆記具。
【請求項８】
前記読み取り部は、前記媒体に対して光を照射する光源と、当該媒体からの反射光を受光するセンサとを備え、
前記光源は、当該光源の光軸が前記ペン本体部の軸心に対して傾くように配置されていることを特徴とする請求項１乃至７のいずれかに記載の電子筆記具。
【請求項９】
ペン本体部と、
前記ペン本体部の軸心に対して傾いた状態で配置され、媒体への筆記を可能とするペン芯と、
前記媒体に対して光を照射する照射部と当該媒体からの反射光を受光する受光部とを備え、当該媒体に付された画像の読み取りを行う読み取り手段とを備え、
前記照射部は、照射する光の光軸が前記ペン本体部の軸心に対して傾くように配置されていることを特徴とする電子筆記具。
【請求項１０】
前記照射部は、前記ペン芯が傾く方向に前記光軸が傾くように配置されていることを特徴とする請求項９記載の電子筆記具。
【請求項１１】
前記受光部は、前記ペン本体部の軸心に沿うように配置されていることを特徴とする請求項９又は１０に記載の電子筆記具。
【発明の詳細な説明】
【技術分野】
【０００１】
本発明は、電子筆記具に関する。
【背景技術】
【０００２】
近年、用紙等の媒体上に筆記された文字や図形等が電子データに変換され、それがパソコンや携帯電話等に転送されて、筆記内容が保存等される技術が注目されている。
例えば特許文献１では、次のような技術が記載されている。すなわち、表面にそれぞれ異なるパターンで形成された微細なドットが印刷された媒体と、例えば撮像素子が内蔵されたペンデバイスとを用い、ペンデバイスによりこの媒体上に筆記が行われると、筆記された文字や図形等の位置のドットパターンが撮像素子に読み込まれ、文字や図形等の位置(描画トレース)の位置座標が特定される。それにより、筆記された文字や図形等からなる電子文書の生成や、所定の電子文書への文字や図形等の付加等を行う。
また、例えば特許文献２では、次のような技術が記載されている。すなわち、光学ペンの導光構造は、光源、光センサー及び導光部品を含む。光源からの光は外界表面を照射し、光センサーにより外界表面の反射映像光を読み取り、反射映像光進行方向は読み取り光方向を指向する。導光部品は導光材質により構成し、入光面、延伸部、及び出光面を具える。入光面は光源に隣接する。延伸部は、入光面より該読み取り光方向に平行し、入光面と反対の方向に所定長さ延長する。出光面は延伸部から離れた光学ペン末端に位置し、該光源から出た光は導光部品によりガイドされて５０度より小さい傾斜角度で外界表面に入射し、反射映像光のコントラスト及び認識率を向上させることができるとしている。
【０００３】
【特許文献１】特開２００４−９４９０７号公報
【特許文献２】特開２００６−２５２５０３号公報
【発明の開示】
【発明が解決しようとする課題】
【０００４】
ここで一般に、媒体上の画像を読み取るペンデバイスなどの電子筆記具では、筆記用のペン芯や画像を読み込む撮像素子等の様々な機能部が内蔵される。そのため、かかる電子筆記具は、通常のペンに比べて大径化してしまう。
本発明は、媒体上に形成された画像を読み取り可能な電子筆記具の小径化を図ることを目的とする。
【課題を解決するための手段】
【０００５】
請求項１に記載の発明は、ペン本体部と、前記ペン本体部の先端部に当該ペン本体部の軸心に対して傾いた状態で配置され、媒体への筆記を可能とするペン芯と、前記ペン芯よりも前記ペン本体部の後端部側に配置され、当該ペン芯に作用する前記媒体からの圧力を検知する検知部と、前記検知部の後端よりも前記ペン本体部の先端部側に設けられ、当該検知部による検知結果に基づき媒体に付された画像の読み取りを行う読み取り部と、前記ペン本体部の軸心に対する傾きが前記ペン芯の前記傾きよりも小さい状態で当該ペン芯と前記検知部との間に配置され、当該ペン芯に作用する媒体からの圧力を当該検知部に伝達する伝達部材と、を含む電子筆記具である。
請求項２に記載の発明は、前記読み取り部は、前記検知部の先端よりも前記ペン本体部の先端部側に設けられていることを特徴とする請求項１記載の電子筆記具である。
請求項３に記載の発明は、前記伝達部材は、前記ペン本体部の軸心と略平行に配置されていることを特徴とする請求項１又は２に記載の電子筆記具である。
請求項４に記載の発明は、前記ペン芯の先端部は、前記ペン本体部の軸心上に略位置することを特徴とする請求項１乃至３のいずれかに記載の電子筆記具である。
請求項５に記載の発明は、前記伝達部材を前記ペン芯方向に向けて付勢する付勢部材を更に備えることを特徴とする請求項１乃至４のいずれかに記載の電子筆記具である。
請求項６に記載の発明は、前記伝達部材は、前記ペン本体部の前後方向にスライド可能に設けられ、前方へスライドした前記伝達部材を停止させ、後方へスライドした当該伝達部材を停止させる停止部を更に備えることを特徴とする請求項１乃至５のいずれかに記載の電子筆記具である。
請求項７に記載の発明は、前記ペン芯を着脱可能な状態で保持する保持部材を更に備えることを特徴とする請求項１乃至６のいずれかに記載の電子筆記具である。
請求項８に記載の発明は、前記読み取り部は、前記媒体に対して光を照射する光源と、当該媒体からの反射光を受光するセンサとを備え、前記光源は、当該光源の光軸が前記ペン本体部の軸心に対して傾くように配置されていることを特徴とする請求項１乃至７のいずれかに記載の電子筆記具である。
【０００６】
請求項９に記載の発明は、ペン本体部と、前記ペン本体部の軸心に対して傾いた状態で配置され、媒体への筆記を可能とするペン芯と、前記媒体に対して光を照射する照射部と当該媒体からの反射光を受光する受光部とを備え、当該媒体に付された画像の読み取りを行う読み取り手段とを備え、前記照射部は、照射する光の光軸が前記ペン本体部の軸心に対して傾くように配置されていることを特徴とする電子筆記具である。
請求項１０に記載の発明は、前記照射部は、前記ペン芯が傾く方向に前記光軸が傾くように配置されていることを特徴とする請求項９記載の電子筆記具である。
請求項１１に記載の発明は、前記受光部は、前記ペン本体部の軸心に沿うように配置されていることを特徴とする請求項９又は１０に記載の電子筆記具である。
【発明の効果】
【０００７】
本発明の請求項１によれば、本発明を採用しない場合に比べて、電子筆記具の小径化を図ることができる。
本発明の請求項２によれば、検知部と読み取り部とのペン本体部の軸方向における重なりが生じず、電子筆記具の更なる小径化を図ることができる。
本発明の請求項３によれば、伝達部材がペン本体部の軸心と平行に配置されていない場合に比べ、電子筆記具の小径化を図ることができる。
本発明の請求項４によれば、ペン芯の先端部がペン本体部の軸心からずれている場合に比べ、ユーザによる電子筆記具の操作を良好なものとすることができる。
本発明の請求項５によれば、例えばペン芯が媒体に押圧された際のペン芯の移動開始圧力を高めることができ、例えばユーザの筆圧に応じた移動開始圧力を有する電子筆記具を提供可能となる。
本発明の請求項６によれば、例えば検知部の破損を防止することができる。
本発明の請求項７によれば、ペン芯の交換を簡易に行うことができる。
本発明の請求項８によれば、光軸がペン本体部の軸心に沿うように光源が配置されている場合に比べ読み取り部をペン本体部の軸心側に寄せることができ、電子筆記具の更なる小径化を図ることができる。
【０００８】
本発明の請求項９によれば、光軸がペン本体部の軸心に沿うように照射部が配置されている場合に比べ、例えば受光部をペン本体部の軸心側に寄せることができ、電子筆記具の小径化を図ることができる。
本発明の請求項１０によれば、例えば照射部の後端側とペン芯との間に生じうるデッドスペースを小さいものとすることができる。
本発明の請求項１１によれば、例えば受光部がペン本体部の軸心と直交する方向に沿うように配置された場合に比べ、電子筆記具の小径化を図ることができる。
【発明を実施するための最良の形態】
【０００９】
以下、添付図面を参照して、本発明を実施するための最良の形態(以下、「実施の形態」という)について詳細に説明する。
まず、本実施の形態における筆跡情報管理システムの全体構成について説明する。
図１は、本実施の形態の筆跡情報管理システムの構成の一例を示した図である。図１に示したように、この筆跡情報管理システムは、端末装置１０と、文書サーバ２０と、識別情報サーバ３０と、画像形成装置４０と、端末装置５０とがネットワーク８０に接続されることにより構成されている。また、端末装置５０には、デジタルペン（電子筆記具）６０が通信装置７０を介して接続されている。
【００１０】
本実施の形態の筆跡情報管理システムでは、端末装置１０から電子文書の印刷要求が行われると、文書サーバ２０は端末装置１０からの印刷要求を受け取り、画像形成装置４０に対して印刷要求の対象となった電子文書の印刷指示を行う。それにより、画像形成装置４０は、この電子文書の文書画像を紙等の媒体に印刷するが、その際に、画像形成装置４０は文書画像に加えて符号画像を媒体上に印刷する。
ここでの符号画像とは、識別情報および位置情報を符号化して得られる識別符号および位置符号を画像化したものである。識別情報とは、媒体を一意に特定するための情報であり、本実施の形態では識別情報サーバ３０が発行する。また、位置情報は、媒体上の座標位置を特定するための情報であり、本実施の形態では文書サーバ２０が生成する。
そして、文書画像と符号画像とが印刷された媒体に対し、ユーザがデジタルペン６０を用いて筆記すると、デジタルペン６０は符号画像に含まれる位置情報に基づいて手書き情報(筆跡情報)を生成する。またそれと同時に、デジタルペン６０は符号画像に含まれる識別情報を認識する。そして、認識された識別情報と筆跡情報とは、端末装置５０を介して文書サーバ２０に送られる。識別情報と筆跡情報とを受け取った文書サーバ２０は、識別情報に基づいて媒体に印刷された電子文書を特定し、この特定された電子文書と筆跡情報とを関連付けて記憶する。
【００１１】
なお、本明細書では、媒体に記録する画像の元となる電子データを「電子文書」と表記するが、これは、テキストを含む「文書」を電子化したデータのみを意味するものではない。例えば、絵、写真、図形等の画像データ(ラスタデータかベクターデータかによらない)、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシート等といったプラスチックシートや金属板等であっても構わない。
さらに、本明細書では、電子文書、媒体、さらにはデジタルペン６０やユーザについて、それぞれを一意に識別するための識別情報を用いて処理を行うが、単に「識別情報」という場合には、媒体に関する識別情報を意味するものとする。すなわち、本実施の形態では、媒体に固有に付与される媒体識別情報の一例として、この識別情報を用いる。
【００１２】
続いて、本実施の形態の筆跡情報管理システムを構成する各構成要素について詳細に説明する。
端末装置１０は、文書サーバ２０に対して電子文書の印刷を要求するコンピュータ装置である。ここで、端末装置１０としては、例えば、パーソナルコンピュータやワークステーション、その他のコンピュータが用いられる。
文書サーバ２０は、電子文書を記憶し管理するコンピュータ装置である。また、端末装置１０から電子文書の印刷要求があると、電子文書の画像と、識別情報および位置情報を表す符号画像とを生成し、これらを合成した合成画像を媒体に印刷する印刷命令を画像形成装置４０に対して出力する。ここで、文書サーバ２０としては、例えば、パーソナルコンピュータやワークステーション、その他のコンピュータが用いられる。
【００１３】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータが用いられる。
画像形成装置４０は、媒体に画像を印刷し、印刷文書として出力する装置である。この画像形成装置４０は、単体のプリンタや印刷機であってもよいし、他にスキャナや通信の機能を備えた所謂「複合機」であってもよい。ここで、画像形成装置４０における画像形成方式としては、例えば、電子写真方式を用いるとよいが、その他の方式を用いてもよい。
【００１４】
端末装置５０は、印刷文書に対する筆記を電子化した情報(以下、「筆跡情報」という)を、印刷文書に記録された画像の元となる電子文書に反映させるために識別情報サーバ３０に送信するコンピュータ装置である。また、筆跡情報を反映する対象の電子文書をディスプレイ(不図示)に表示し、その上に筆跡情報を重ねて表示するようにしてもよい。ここで、端末装置５０としては、例えば、パーソナルコンピュータやワークステーション、その他のコンピュータが用いられる。なお、本実施の形態では、筆記の内容を電子化した筆跡情報の一例として、筆跡情報を用いている。また、筆跡情報を主に手書き情報として説明するが、これに限らず、例えば、建築や機械等の図面データを出力する装置であるプロッタ等によって機械的に描画された情報等を含むものである。
【００１５】
デジタルペン６０は、印刷文書上に文字または図形を筆記するために用いられるペンデバイスである。また、媒体に印刷された符号画像を読み取る撮像素子を備える。そして、撮像素子で読み取った符号画像から位置情報を検出し、筆記した文字または図形をイメージデータ化した筆跡情報をこの位置情報に基づいて生成し記憶する。
通信装置７０は、デジタルペン６０から筆跡情報を取得して端末装置５０に送信する装置である。通信装置７０とデジタルペン６０との間の通信の方式および通信装置７０と端末装置５０との間の通信の方式としては、ＵＳＢ(Universal Serial Bus)、Ｂｌｕｅｔｏｏｔｈ(登録商標)、赤外線通信機能等、種々の方式が用いられる。なお、図１では、通信装置７０をデジタルペン６０と別体のものとして示しているが、必ずしも別体である必要はなく、一体に構成してもよい。
【００１６】
引き続いて、筆跡情報管理システムを構成する各構成要素の詳細を説明する。
まず、文書サーバ２０の構成について説明する。
図２は、文書サーバ２０の機能構成の一例を示したブロック図である。図２に示したように、文書サーバ２０は、受信部２１と、識別情報取得部２２と、電子文書管理部２３と、筆跡情報管理部２４と、文書/筆跡情報記憶部２５とを備える。また、識別符号生成部２７ａと、位置符号生成部２７ｂと、符号配置部２７ｃと、パターン画像記憶部２７ｄと、符号画像生成部２７ｅとを備える。さらに、文書画像生成部２６と、画像合成部２８と、送信部２９とを備える。
【００１７】
受信部２１は、端末装置１０から印刷要求を受信する。ここで、印刷要求には、電子文書に加えて、印刷対象となる電子文書の識別情報(以下、「文書ＩＤ」という)と、印刷される媒体上での電子文書のレイアウトを定めるための各種設定(以下、「印刷設定」という)とが含まれる。文書ＩＤは、端末装置１０にて電子文書毎に付与されるが、文書サーバ２０にて付与してもよい。また、受信部２１は、印刷文書が印刷される媒体に固有に付与される識別情報を識別情報サーバ３０から受信する。さらに、印刷文書に対する筆記が行われた際には、識別情報サーバ３０から、印刷文書に埋め込まれた識別情報と、印刷文書に対する筆記の内容(筆記画像)を電子化した筆跡情報とを受信する。
識別情報取得部２２は、受信部２１から文書ＩＤおよび印刷設定を取得し、これを送信部２９に渡して識別情報の発行要求の送信を指示し、これを文書画像生成部２６に渡して文書画像の生成を指示する。また、受信部２１から媒体の識別情報を取得し、これを識別符号生成部２７ａに渡して識別符号の生成を指示する。
【００１８】
電子文書管理部２３は、受信部２１が受信した識別情報と電子文書とを取得し、文書ＩＤに基づき両者を対応付けて文書/筆跡情報記憶部２５に登録する。また、文書/筆跡情報記憶部２５に記憶された電子文書についての、印刷設定に従って媒体上に印刷された状態を反映した新たな電子文書(第２の電子文書)を生成し、生成された第２の電子文書を文書/筆跡情報記憶部２５に記憶する。さらに、電子文書の表示や印刷が指示された際には、対応する識別情報と電子文書とを、文書/筆跡情報記憶部２５から取り出す。
【００１９】
筆跡情報管理部２４は、受信部２１が受信した識別情報と筆跡情報とを取得し、識別情報に基づき筆跡情報を電子文書に対応付けて文書/筆跡情報記憶部２５に登録する。また、筆跡情報の表示が指示された際には、対応する識別情報と筆跡情報とを、文書/筆跡情報記憶部２５から取り出す。
文書/筆跡情報記憶部２５は、電子文書管理部２３によって管理される電子文書と、筆跡情報管理部２４によって管理される筆跡情報とを記憶する。ここで、本実施の形態では、識別情報と電子文書と筆跡情報とを関連付けて記憶する記憶手段の一例として、文書/筆跡情報記憶部２５を設けている。
【００２０】
識別符号生成部２７ａは、媒体を特定する識別情報を符号化して識別符号を生成する。
位置符号生成部２７ｂは、媒体上の座標位置を示す位置情報を符号化して位置符号を生成する。
符号配置部２７ｃは、識別符号生成部２７ａにて生成された識別符号や、位置符号生成部２７ｂにて生成された位置符号等を所定のレイアウト(後段の図３参照)に従って２次元平面に配置し２次元の符号配列を生成する。
パターン画像記憶部２７ｄは、符号配列に格納される各符号の符号値に対応するパターン画像を記憶する。
符号画像生成部２７ｅは、符号配置部２７ｃが生成した２次元の符号配列を参照し、各符号値に対応したパターン画像を選択して符号画像を生成する。
【００２１】
文書画像生成部２６は、識別情報取得部２２から文書ＩＤおよび印刷設定を取得し、この文書ＩＤで特定される電子文書を文書/筆跡情報記憶部２５から読み出す。そして、印刷設定に従ってその電子文書の文書画像を生成する。
画像合成部２８は、符号画像生成部２７ｅが生成した符号画像と、文書画像生成部２６が生成した文書画像とを合成し、合成画像を生成する。
送信部２９は、識別情報サーバ３０に対して識別情報の発行要求を送信する。また、画像形成装置４０に対して媒体に対する画像の印刷命令を送信する。さらに、筆跡情報の表示が指示された際には、識別情報サーバ３０に対して識別情報と筆跡情報とを送信する。
【００２２】
ここで、本実施の形態の文書サーバ２０で生成される符号画像について説明する。
図３は、符号画像を構成する画像等の一例を示した図である。まず、符号画像を構成する単位パターンについて説明する。図３(ａ)は、単位パターンの一例を示したものである。
単位パターンとは、情報埋め込みの最小単位である。図３(ａ)では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。すなわち、図３(ａ)は、ドットを配置可能な９箇所の中から選択した２箇所(黒塗りの領域)にドットを配置することで単位パターンを構成した例を示したものである。ここで、９箇所の中から２箇所を選択する組み合わせは３６(＝９Ｃ２)通りなので、単位パターンは、３６種類存在する。このうち、４種類の単位パターンは、同期パターンとして使用される。同期パターンとは、画像の回転を検出したり、識別符号および位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号および位置符号を表現する情報パターンとして使用され、５ビットの情報が表現される。
【００２３】
ところで、図３(ａ)に示したドットは、あくまで情報表現のためのドットであり、画像を構成する最小の点を意味するドットとは必ずしも一致しない。本実施の形態において、情報表現のためのドット(図３(ａ)の最小の四角)は、６００ｄｐｉにおける２ドット×２ドットの大きさを有している。６００ｄｐｉにおける１ドットの大きさは０．０４２３ｍｍなので、情報表現のためのドット(図３(ａ)の最小の四角)の一辺は、８４．６μｍ(＝０．０４２３ｍｍ×２)である。情報表現のためのドットは、大きくなればなるほど目に付きやすくなるため、できるだけ小さいほうが好ましい。ところが、あまり小さくすると、プリンタで印刷できなくなってしまう。そこで、情報表現のためのドットの大きさとして、５０μｍより大きく１００μｍより小さい上記の値を採用している。ただし、上記の値８４．６μｍは、あくまで計算上の数値であり、実際に印刷されたトナー像では１００μｍ程度になる。なお、本明細書で「ドット」というときは、特に明示しない限り、画像を構成する最小の点を意味するドットではなく、情報表現のためのドットを指すものとする。
【００２４】
次に、このような単位パターンから構成される符号ブロックについて説明する。図３(ｂ)に、符号ブロックのレイアウトの一例を示す。なお、ここでは、画像ではなく、パターン画像によって置き換えられる直前の符号配列で示している。すなわち、図３(ｂ)の最小の四角(以下、「単位ブロック」という)に、図３(ａ)のような単位パターン(３６通りの単位パターンのいずれか)が配置され、その画像が媒体に形成されることになる。
図３(ｂ)のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。さらに、これらの位置符号が配置された単位ブロックに囲まれた１６(＝４×４)個の単位ブロックに識別符号が配置されている。
【００２５】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図３(ｂ)の符号ブロックにおける識別符号が配置される単位ブロックに収まることになる。なお、符号化方式はＲＳ符号に限定するものでなく、その他の符号化方式、例えば、ＢＣＨ符号等を使用してもよい。
【００２６】
引き続いて、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列とのうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。すなわち、固定のＭ系列を予め生成しておき、それをメモリ等に格納しておけばよい。
例えば、系列長８１９１のＭ系列(Ｋ＝１３)を使用したとする。この場合、位置符号も５ビット単位で埋め込むため、系列長８１９１のＭ系列から５ビットずつ取り出してブロック化する。
【００２７】
なお、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００２８】
次に、識別情報サーバ３０の構成について説明する。
図４は、識別情報サーバ３０の機能構成の一例を示したブロック図である。図４に示したように、識別情報サーバ３０は、受信部３１と、識別情報管理部３２と、識別情報記憶部３３と、表示情報生成部３４と、送信部３９とを備える。
受信部３１は、文書サーバ２０から識別情報の発行要求を受信する。また、受信部３１は、印刷文書に対する筆記が行われた際には、媒体の識別情報と筆跡情報とを端末装置５０から受信する。ここで、本実施の形態では、端末装置５０から媒体の識別情報と筆跡情報とを受信し、さらに筆跡情報の表示が指示された際に、文書サーバ２０から媒体の識別情報と筆跡情報とを受信する受信手段の一例として、受信部３１を設けている。
【００２９】
識別情報管理部３２は、識別情報の発行要求があると、識別情報を重複することなく発行し、その際に指定された文書ＩＤおよび印刷設定を識別情報に関連付けて記憶する。また、識別情報の指定を受けて、その識別情報に対応する文書ＩＤおよび印刷設定を取り出す。
識別情報記憶部３３は、識別情報を、その使用/未使用の状態、それが付与された媒体に印刷された電子文書の文書ＩＤ、それが付与された媒体に電子文書が印刷された際の印刷設定を関連付けて記憶するデータベースである。
表示情報生成部３４は、筆跡情報の表示が指示された際に、文書サーバ２０から取得した情報に基づいて、筆跡情報を表示するための表示情報を生成する。この表示情報としては、例えば、端末装置５０で表示するイメージを生成する元となるデータを生成する。
【００３０】
送信部３９は、文書サーバ２０からの要求に応じて発行した識別情報を文書サーバ２０に送信する。また、印刷文書に対する筆記が行われた際には、媒体の識別情報と筆跡情報とを文書サーバ２０に送信する。さらに、筆跡情報の表示が指示された際には、端末装置５０に対して表示情報を送信する。ここで、本実施の形態では、媒体の識別情報と筆跡情報とを送信する送信手段の一例として、送信部３９を設けている。
【００３１】
次に、デジタルペン６０について説明する。なお、ここではデジタルペン６０の機能構成の概略を説明することとし、デジタルペン６０の構成の詳細は後段で説明する。
図５は、デジタルペン６０の機能構成の概略を説明する図である。図５に示したように、デジタルペン６０は、ペン全体の動作を制御する制御回路６１を備える。また、制御回路６１は、読み取った符号画像を処理する画像処理部６１ａと、画像処理部６１ａでの処理結果から識別情報および位置情報を抽出するデータ処理部６１ｂとを含む。
また、制御回路６１には、デジタルペン６０による筆記動作をペンチップ６９に加わる圧力(筆圧)によって検知し、デジタルペン６０を動作状態に設定する筆圧検知スイッチ６２が接続されている。さらに、媒体上に赤外光を照射する赤外ＬＥＤ６３と、反射光を検知することによって符号画像を読み取る赤外ＣＭＯＳ(Complementary Metal Oxide Semiconductor)６４も接続されている。さらにまた、識別情報および位置情報を記憶するための情報メモリ６５と、外部装置と通信するための通信回路６６と、ペンを駆動するためのバッテリ６７と、ペンの識別情報(ペンＩＤ)を記憶するペンＩＤメモリ６８とが接続されている。
【００３２】
制御回路６１において実現される機能構成について詳細に説明する。図６は、制御回路６１の機能構成の一例を示したブロック図である。なお、図６では、制御回路６１内の画像処理部６１ａとデータ処理部６１ｂとに分けて、機能構成例を示している。
図６に示したように、画像処理部６１ａは、画像取得部６３１と、ドット配列生成部６３２とを備える。また、データ処理部６１ｂは、符号配列生成部６３３と、識別情報取得部６３４と、位置情報取得部６３５と、筆跡情報生成部６３６と、送信部６３９とを備える。
【００３３】
画像取得部６３１は、赤外ＣＭＯＳ６４が印刷文書から読み取った符号画像を取得する。また、必要に応じて、符号画像に含まれるノイズを除去する。
ドット配列生成部６３２は、符号画像におけるドットの位置を参照して、ドット配列を生成する。すなわち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００３４】
符号配列生成部６３３は、ドット配列上で、符号ブロック内の単位パターンに対応するブロックを検出する。具体的には、単位パターンが配置されるブロックと同じ形状および大きさの枠をドット配列上で動かし、枠内のドット数が均等になる位置で枠を固定する。例えば、図３(ａ)の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００３５】
識別情報取得部６３４は、符号配列から同期符号の位置を基準にして識別符号を検出する。そして、画像生成時にＲＳ符号化処理で用いたパラメータを用いて識別符号を復号し、識別情報を取得する。
位置情報取得部６３５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。なお、オフセットで補正するのは、位置符号の間に同期符号が配置されているためである。
【００３６】
筆跡情報生成部６３６は、位置情報取得部６３５が取得した位置情報を連結して筆跡情報を生成する。ここで、筆跡情報には、少なくともデジタルペン６０のペン先の軌跡を電子化したデータが含まれるが、これ以外の情報を含んでもよい。ペン先の軌跡以外の情報としては、例えば、筆記した時にペンに設定されていた色の情報や、筆圧の情報等がある。
送信部６３９は、識別情報取得部６３４が取得した識別情報と、位置情報取得部６３５が取得した位置情報と、筆跡情報生成部６３６が生成した筆跡情報とを通信回路６６に渡すことで、通信装置７０への情報送信を実現する。
【００３７】
デジタルペン６０では、まず、赤外ＬＥＤ６３が媒体に対して赤外光を照射し、赤外ＣＭＯＳ６４がその反射光を受光することにより、符号画像を読み取る。そして、画像取得部６３１がこの読み取った符号画像を取得する。その際に、符号画像にノイズが含まれていれば、これを除去する。次に、ドット配列生成部６３２が、符号画像に含まれるドット位置をデジタルデータ化し、ドット配列を生成する。そして、符号配列生成部６３３が、ドット配列からブロックを検出し、ブロックごとの符号値を格納した符号配列を生成する。そして、符号配列において、同期符号の位置を特定する。その後、識別情報取得部６３４が、同期符号の位置に基づいて識別符号を検出し、これを復号して識別情報を取得する。また、位置情報取得部６３５が、同期符号の位置に基づいて位置符号を検出し、これを復号して位置情報を取得する。そして、筆跡情報生成部６３６が、位置情報を連結して筆跡情報を生成する。そして、送信部６３９が、これらの情報を通信装置７０および端末装置５０を介して識別情報サーバ３０へ送信する。
【００３８】
続いて、本実施の形態の筆跡情報管理システムにて電子文書に関して行われる各種処理について説明する。
[印刷文書の生成処理]
図７は、筆跡情報管理システムにて印刷文書が生成される際の動作の一例を示したシーケンス図である。
まず、ユーザは端末装置１０から電子文書の印刷指示を文書サーバ２０に送信する(ステップ１０１)。その際には、端末装置１０は、印刷対象となる電子文書と、電子文書の識別情報(文書ＩＤ)と、ユーザが指定した印刷設定とを送信する。ここで、印刷設定は、印刷の対象とするページ、印刷部数、媒体である用紙のサイズ、拡大縮小率、Ｎアップ(電子文書のＮページを媒体の１ページに割り付ける印刷)、余白領域の大きさ等の設定を含む。
【００３９】
文書サーバ２０は、端末装置１０から電子文書の印刷指示を受信する(ステップ２０１)。印刷指示に含まれる印刷対象となる電子文書は、電子文書管理部２３に送られ、電子文書管理部２３が、電子文書を文書ＩＤと関連付けて文書/筆跡情報記憶部２５に登録する(ステップ２０２)。
また、文書サーバ２０は、印刷を指示された電子文書の文書ＩＤと印刷設定とを識別情報サーバ３０に送信する(ステップ２０３)。ここで、文書ＩＤとしては、例えば、ＵＲＬ(Uniform Resource Locator)を用いるとよいが、電子文書を一意に特定することができるものであれば他の情報を用いてもよい。
それにより、識別情報サーバ３０は、文書ＩＤと印刷設定とを受信する(ステップ３０１)。そして、媒体識別情報を管理する識別情報管理部３２が識別情報記憶部３３から未使用の媒体識別情報を取得する(ステップ３０２)。ここで、取り出す媒体識別情報の数は、印刷設定に応じて決められる。つまり、基本的には、印刷するページ数に印刷部数を乗じて得られる数の媒体識別情報が取り出される。ただし、印刷設定情報の中に、Ｎアップ印刷の指定等がある場合は、それも考慮される。例えば、１０ページの電子文書を２アップ印刷で５部印刷する場合は、２５(＝１０÷２×５)個の媒体識別情報が取り出される。
次に、識別情報サーバ３０は、識別情報と文書ＩＤと印刷設定とを関連付けて識別情報記憶部３３に登録する(ステップ３０３)。そして、識別情報サーバ３０は、文書サーバ２０に対し、識別情報を送信する(ステップ３０４)。
【００４０】
それにより、文書サーバ２０は、識別情報を受信する(ステップ２０４)。そして、識別情報および位置情報を表す符号画像を生成する(ステップ２０５)。
すなわち、文書サーバ２０では、受信部２１が媒体識別情報を受信する。そして、受信部２１は、受信した媒体識別情報を識別情報取得部２２に受け渡す。すると、まず識別情報取得部２２が、取得した媒体識別情報を識別符号生成部２７ａに渡し、識別符号生成部２７ａが、上記した方法を用いて媒体の識別情報を符号化し、識別符号を生成する。
また、位置符号生成部２７ｂは、受信部２１から印刷設定を受け取り、印刷設定に応じた範囲の位置情報を上記した方法を用いて符号化し、位置符号を生成する。
そして、符号配置部２７ｃが、媒体識別符号と位置符号とを所定のレイアウトに従って配置し、これを符号画像生成部２７ｅが、パターン画像記憶部２７ｄに記憶されたパターン画像を用いて画像化することで符号画像を生成する。
【００４１】
その後、文書サーバ２０では、文書画像生成部２６が、電子文書の文書画像を生成する(ステップ２０６)。その際に、文書画像生成部２６は、ステップ２０１で識別情報取得部２２が取得した文書ＩＤを受け取り、文書ＩＤに基づいて印刷対象となる電子文書を文書/筆跡情報記憶部２５から読み出す。また、ステップ２０１で識別情報取得部２２が取得した印刷設定を受け取り、これに基づいて文書画像を生成する。
そして、画像合成部２８は、ステップ２０５で生成された符号画像と、ステップ２０６で生成された文書画像とを合成し、合成画像を生成する(ステップ２０７)。
その後、合成画像は送信部２９に渡され、送信部２９が、合成画像の印刷命令を画像形成装置４０に送信する(ステップ２０８)。ここで、合成画像の印刷命令は、例えば、文書画像の印刷命令の列からなるＰＤＬ(Page Description Language)ファイルに対し、符号画像として印刷する内容をＰＤＬコマンドとして設定したＰＤＬの形式で送信される。
【００４２】
画像形成装置４０は、文書サーバ２０から合成画像(電子文書の文書画像および符号画像)を受信する(ステップ４０１)。そして、画像形成装置４０は、文書画像をＹ(イエロー)、Ｍ(マゼンタ)、Ｃ(シアン)により画像に展開する(ステップ４０２)。次に、文書画像はＣ、Ｍ、Ｙのトナーを用いて、符号画像はＫ(カーボンを含む黒)のトナーを用いて、それぞれ画像形成を行う(ステップ４０３)。
【００４３】
ところで、上述した例では、識別情報サーバ３０は識別情報を発行するだけで、文書サーバ２０が、識別情報を含む符号画像を生成し、画像形成装置４０に画像形成を指示する構成とした。しかしながら、識別情報サーバ３０が、符号画像を生成し、画像形成装置４０に画像形成を指示する構成としてもよい。
また、符号画像を画像形成装置４０で生成する構成を採用してもよい。その場合には、文書サーバ２０または識別情報サーバ３０が、電子文書から生成したＰＤＬに識別情報を付加して画像形成装置４０へ送信し、画像形成装置４０が識別情報を含む符号画像を生成することになる。
【００４４】
また、上記の例では、識別情報と文書ＩＤと印刷設定とが関連付けられて構成されたデータベース(識別情報記憶部３３)を識別情報サーバ３０に置く構成について説明した。これは、かかるデータベースを共有可能な装置(識別情報サーバ３０)に置くことで、複数ユーザへの対応や、サーバのアクセス制御技術を利用した電子文書のセキュリティ確保が可能となるからである。しかしながら、必ずしもこのような構成を採用する必要はなく、端末装置１０や文書サーバ２０に上記のデータベースを置く構成を採用してもよい。
【００４５】
また、上記した画像形成装置４０では、符号画像をＫ(カーボンを含む黒)のトナーを用いて形成するようにした。これは、Ｋのトナーが、Ｃ(シアン)、Ｍ(マゼンタ)、Ｙ(イエロー)のトナーよりも赤外光の吸収量が多く、デジタルペン６０での符号画像の読み取りが容易となるからである。しかしながら、符号画像は、特殊トナーを用いて形成することも可能である。
ここで、特殊トナーとしては、可視光領域(４００ｎｍ〜７００ｎｍ)における最大吸収率が７％以下であり、近赤外領域(８００ｎｍ〜１０００ｎｍ)における吸収率が３０％以上の不可視トナーが例示される。ここで、「可視」および「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００４６】
なお、ここでは、電子文書の画像に符号画像を合成して印刷することとしたが、白紙(ノートや付箋等)に符号画像を印刷する構成としてもよい。その場合は、ステップ２０１で受信する印刷要求に文書ＩＤを含めないようにし、ステップ３０３で識別情報と文書ＩＤおよび印刷設定との関連付けを行わないようにし、ステップ２０６における文書画像の生成は実行しないようにすればよい。
【００４７】
[筆跡情報の登録処理]
次に、デジタルペン６０が筆跡情報を生成して文書サーバ２０に登録する際の動作について説明する。
上記したように、デジタルペン６０では、識別情報取得部６３４が識別情報を取得する。また、位置情報取得部６３５が位置情報を取得する。さらに、筆跡情報生成部６３６が位置情報を相互に連結して筆跡情報を生成する。そして、送信部６３９が、識別情報および筆跡情報を通信装置７０および端末装置５０を介して識別情報サーバ３０へ送信する。そして、識別情報サーバ３０が筆跡情報を文書サーバ２０に登録する。
【００４８】
図８は、筆跡情報を登録する際の識別情報サーバ３０および文書サーバ２０の動作の一例を示したシーケンス図である。
識別情報サーバ３０では、まず、受信部３１が、デジタルペン６０からの識別情報および筆跡情報を受信する(ステップ３１１)。次に、識別情報および筆跡情報は識別情報管理部３２に渡され、識別情報管理部３２は、渡された識別情報に関連付けられた文書ＩＤを識別情報記憶部３３から取り出す。そして、ステップ３１１で受信した識別情報および筆跡情報の送信先となる文書サーバ２０(文書ＩＤで特定される電子文書が存在する文書サーバ２０)を決定する(ステップ３１２)。なお、識別情報記憶部３３において識別情報に文書ＩＤが関連付けられていなければ、その識別情報は白紙(ノートや付箋)に割り当てられたものであると考えられる。その場合は、白紙に対する筆跡情報を管理する文書サーバ２０を送信先として決定すればよい。
その後、識別情報および筆跡情報は送信部３９に渡され、送信部３９が、ステップ３１２で送信先として決定した文書サーバ２０に対し、識別情報および筆跡情報を送信する(ステップ３１３)。
【００４９】
これにより、文書サーバ２０では、受信部２１が、識別情報および筆跡情報を受信する(ステップ２１１)。そして、受信部２１は、受信した識別情報を筆跡情報管理部２４に渡す。すると、筆跡情報管理部２４は、識別情報と筆跡情報とを対応付けて文書/筆跡情報記憶部２５に記憶する(ステップ２１２)。
【００５０】
ところで、本実施の形態の筆跡情報管理システムでは、文書サーバ２０が電子文書や筆跡情報を管理し、識別情報サーバ３０が媒体を一意に識別するための識別情報を生成/管理するように構成した。しかしながら、これらの処理を如何なる装置で行うかについては種々のバリエーションが考えられる。例えば、識別情報を生成/管理する処理は、文書サーバ２０で行ってもよいし、端末装置５０や画像形成装置４０で行ってもよい。また、符号画像を画像形成装置４０で生成してもよい。
そのため、これらの処理を汎用的な装置としてのコンピュータ９０で行うものとして一般化できる。そこで、筆跡情報管理システムを構成する端末装置１０、文書サーバ２０、識別情報サーバ３０、画像形成装置４０、端末装置５０がコンピュータ９０で構成されるものとして、コンピュータ９０のハードウェア構成について説明しておく。
【００５１】
図９は、コンピュータ９０のハードウェア構成を示した図である。
図９に示したように、コンピュータ９０は、演算手段であるＣＰＵ(Central Processing Unit)９１と、記憶手段であるメインメモリ９２および磁気ディスク装置(ＨＤＤ：Hard Disk Drive)９３とを備える。ここで、ＣＰＵ９１は、ＯＳ(Operating System)やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
さらに、コンピュータ９０は、外部との通信を行うための通信Ｉ/Ｆ９４と、ビデオメモリやディスプレイ等からなる表示機構９５と、キーボードやマウス等の入力デバイス９６とを備える。
なお、本実施の形態を実現するプログラムは、通信手段により提供することはもちろん、ＣＤ−ＲＯＭ等の記録媒体に格納して提供することも可能である。
【００５２】
次に、デジタルペン６０の構成を詳細に説明する。
図１０は、デジタルペン６０の全体構成を説明する図であって、(ａ)はデジタルペン６０の外観斜視図、(ｂ)はデジタルペン６０のキャップ部６１０の外観斜視図、(ｃ)はデジタルペン６０のペン部６２０の外観斜視図である。図１０に示したように、本実施の形態のデジタルペン６０は、ペン部６２０と、ペン部６２０に対して着脱自在なキャップ部６１０とで構成されている。
【００５３】
続いて、図１１は、ペン部６２０の構成を説明する断面図である。同図に示すように、ペン部６２０は、筐体６２１、筆記検知機能部６２２、符号画像検出部６２３、操作表示部６２４、キャップ位置検出機能部６２５、制御回路部６２６により構成される。
【００５４】
ペン本体部としての筐体６２１は、ペン部６２０の外壁を構成するとともに、ペン部６２０に配置される各種機能部を支持する。ここで、筐体６２１は、ペンチップ６９が配置された先端側が先細りとなる形状となっている。なお、以下、本明細書において、ペンチップ６９が配置された側を先端側と称し、ペンチップ６９が配置された側とは反対側を後端側と称する場合がある。
筆記検知機能部６２２は、媒体に対する筆記が行われた際に、媒体に加えられた筆圧を検出して、筆記が行われていることを検知する機能部である。筆記検知機能部６２２には、図５に示したペンチップ６９と、筆圧検知スイッチ６２とが含まれる。
符号画像検出部６２３は、媒体に所定の波長の光(例えば、赤外光)を照射し、媒体からの反射光に基づいて、媒体に印刷された符号画像を検出する機能部である。符号画像検出部６２３には、図５に示した赤外ＬＥＤ６３と、赤外ＣＭＯＳ６４とが含まれる。
【００５５】
操作表示部６２４は、媒体から読み取られた符号画像に基づく特定処理の実行を指示する機能部である。また、操作表示部６２４は、デジタルペン６０の動作状態を特定色の表示で行う機能部でもある。
キャップ位置検出機能部６２５は、ペン部６２０の所定位置にキャップ部６１０が取り付けられたか否かを検出する機能部である。
制御回路部６２６は、デジタルペン６０を動作させる際の各種処理を実行する機能部である。また、通信装置７０（図１参照）を介して端末装置５０に識別情報および筆跡情報を送信する機能部である。制御回路部６２６には、図５に示した画像処理部６１ａやデータ処理部６１ｂを備える制御回路６１、情報メモリ６５、通信回路６６、バッテリ６７、およびペンＩＤメモリ６８が含まれる。
【００５６】
ここで、符号画像検出部６２３について詳細に説明する。
図１２は、符号画像検出部６２３を説明する図である。同図に示すように、符号画像検出部６２３は、媒体上に赤外光を照射する赤外ＬＥＤ６３(図５も参照)、赤外ＬＥＤ６３から出射された赤外光を拡散する拡散板６２３ａ、媒体からの反射光を検知することによって媒体上の符号画像を読み取る赤外ＣＭＯＳ６４(図５も参照)を備えている。ここで、センサ、受光部の一例としての赤外ＣＭＯＳ６４は、ペン部６２０の軸方向（軸心）に沿って配置されている。このため、赤外ＣＭＯＳ６４がペン部６２０の軸方向と直交する関係で配置された場合に比べ、ペン部６２０（筐体６２１）の小径化を図ることができる。
【００５７】
さらに、媒体からの反射光を赤外ＣＭＯＳ６４に結像させる結像光学系として、赤外光を主に通過させるＩＲ(Infrared)フィルタ６２３ｂ、結像レンズ６２３ｃ、結像レンズ６２３ｃを支持する鏡筒６２３ｄ、結像レンズ６２３ｃを通過した赤外光の光路を９０°折り返して赤外ＣＭＯＳ６４に導くプリズム６２３ｅ、鏡筒６２３ｄおよびプリズム６２３ｅを支持するホルダ６２３ｆ、プリズム６２３ｅと赤外ＣＭＯＳ６４との間のギャップを所定値に保つスペーサ６２３ｇを備えている。
【００５８】
符号画像検出部６２３では、赤外ＬＥＤ６３から出射された赤外光は、拡散板６２３ａによって拡散された後、媒体表面を照射する。そして、媒体上から反射された赤外光は、ＩＲフィルタ６２３ｂにより赤外光以外の光が除外された後、結像レンズ６２３ｃにより集光され、プリズム６２３ｅにより光路を赤外ＣＭＯＳ６４に向けて折り返されて赤外ＣＭＯＳ６４に結像される。そして、赤外ＣＭＯＳ６４により媒体上の符号画像が読み取られる。赤外ＣＭＯＳ６４により読み取られた符号画像は、制御回路部６２６の制御回路６１(図５参照)に送られる。
【００５９】
次に、操作表示部６２４について説明する。
図１３は、操作表示部６２４を説明する図である。同図に示すように、操作表示部６２４は、基板６２４ａ、基板６２４ａ上に設けられた切替スイッチ６２４ｂ、筐体６２１の外部からのユーザの操作を受け付ける操作ボタン６２４ｃ、第１の発光ＬＥＤ６２４ｆ、第２の発光ＬＥＤ６２４ｇを備えている。基板６２４ａは、固定ビス６２４ｋにより筐体６２１に固定されている。また、操作ボタン６２４ｃは、操作ボタン６２４ｃがユーザにより所定量押圧された場合に基板６２４ａに接触する接触部６２４ｄを備えている。
切替スイッチ６２４ｂは、１回のスイッチングが行われることでオフ状態からオン状態に切り替え設定を行うスイッチング部材である。そして、オン状態に設定されることで、媒体から読み取られた符号画像に基づく特定処理の実行を指示する信号を出力する。本実施の形態では、切替スイッチ６２４ｂがオン状態に設定されることにより、符号画像に含まれる識別情報および位置情報に対応付けられた所定の情報源へのリンクを指示する信号が制御回路部６２６の制御回路６１(図５参照)に送られる。
【００６０】
ユーザによって操作ボタン６２４ｃが押されると、操作ボタン６２４ｃは切替スイッチ６２４ｂ自身が有する反発力に抗して押し下げられるとともに、切替スイッチ６２４ｂはオフ状態からオン状態に切り替えられる。これにより、制御回路部６２６の制御回路６１に対して、符号画像に含まれる識別情報および位置情報に対応付けられた所定の情報源へのリンクを指示する信号が送られる。なお、ユーザによって操作ボタン６２４ｃが押された際、操作ボタン６２４ｃは、切替スイッチ６２４ｂにより支持されるとともに、基板６２４ａに接触する接触部６２４ｄによって支持される。
その後、ユーザによる操作ボタン６２４ｃの押圧が解除されると、操作ボタン６２４ｃは切替スイッチ６２４ｂからの反発力によって元の位置に戻されるとともに、切替スイッチ６２４ｂはオン状態からオフ状態に切り替えられる。これにより、所定の情報源へのリンクは解除される。
【００６１】
また、基板６２４ａ上に設けられた第１の発光ＬＥＤ６２４ｆおよび第２の発光ＬＥＤ６２４ｇは、デジタルペン６０の動作状態を特定色を表示することで表現する。例えば、第１の発光ＬＥＤ６２４ｆおよび第２の発光ＬＥＤ６２４ｇのそれぞれは、デジタルペン６０の動作状態に応じて赤色と緑色とに発光色が変化する。そして、例えば、第１の発光ＬＥＤ６２４ｆおよび第２の発光ＬＥＤ６２４ｇは、デジタルペン６０が動作状態(電源オンの状態)である場合に、緑色に発光する。また、操作ボタン６２４ｃが操作されて切替スイッチ６２４ｂが所定の情報源へのリンクを指示する状態になった場合に、第２の発光ＬＥＤ６２４ｇは赤色を発光する。その際に、第１の発光ＬＥＤ６２４ｆおよび第２の発光ＬＥＤ６２４ｇから発光した光は、それぞれ第１の導波部材６２４ｈおよび第２の導波部材６２４ｊにより、筐体６２１の外部に表示される。
【００６２】
次に、筆記検知機能部６２２およびキャップ位置検出機能部６２５について説明する。また、キャップ部６１０について説明する。
ここで、図１４は、筆記検知機能部６２２、キャップ位置検出機能部６２５、およびキャップ部６１０を説明する図である。
同図に示すように、筆記検知機能部６２２は、ペンチップ６９、ペンチップ支持部材６２２ａ、ペンチップ留め部材６２２ｂ、付勢バネ６２２ｃ、継ぎ手部材６２２ｄ、筆圧検知スイッチ６２を備える。
【００６３】
ペン芯の一例としてのペンチップ６９は、例えばボールペンで構成され、媒体上にインク等の色材により文字や図形等を描画する。ここで、ペンチップ６９の先端部は、ペン部６２０（筐体６２１）の軸心（図１１のＡ−Ａ線参照）上に略位置している。このような配置とすることで、通常のペンと同様の筆記動作を行うことが可能となり、ユーザは違和感を感じることなくデジタルペン６０の操作ができる。また、ペンチップ６９は、ペン部６２０の軸心に対し所定の角度傾いて配置され、ペン部６２０の軸心を境界として一方側に配置されている。なお、軸心の他方側には、赤外ＬＥＤ６３などが収納される。このようにペンチップ６９を傾けて配置した場合には、ペンチップ６９の先端部の後方（ペンチップ６９の側方）に、赤外ＬＥＤ６３等を収納するスペースが形成される。この結果、赤外ＬＥＤ６３等をペン部６２０の軸心側に寄せることができ、ペン部６２０の小径化を図ることができる。
【００６４】
ペンチップ支持部材６２２ａは、ペンチップ６９をペン軸ｐに沿って移動自在に支持する。ペンチップ支持部材６２２ａは、先端側支持部材６２２ａ１と、後端側支持部材６２２ａ２とから構成されている。そして、先端側支持部材６２２ａ１と後端側支持部材６２２ａ２との間に形成される間隙に、ペンチップ留め部材６２２ｂが収納される。ここで、先端側支持部材６２２ａ１は、ペンチップ留め部材６２２ｂの先端側への移動を規制し、後端側支持部材６２２ａ２は、ペンチップ留め部材６２２ｂの後端側への移動を規制している。
【００６５】
保持部材の一例としてのペンチップ留め部材６２２ｂは、ゴム等の弾性体によりリング状に形成されている。そして、ペンチップ６９を自らの弾性力で挟持することでペンチップ６９を保持し、ペンチップ６９が自身の自重によりペンチップ支持部材６２２ａから脱落することを抑制している。ここで、ペン部６２０の先端部が下方を向いた際、ペンチップ留め部材６２２ｂからペンチップ６９に作用する摩擦力Ａと、重力によりペンチップ６９に作用する作用力Ｂとは、次の関係となっている。摩擦力Ａ＞作用力Ｂ。なお、本実施形態におけるペンチップ６９の重量は約０．６ｇとなっている。
【００６６】
また、ペンチップ留め部材６２２ｂは、ペンチップ６９に対し、ペンチップ留め部材６２２ｂによる摩擦力以上の引っ張り力がペン軸ｐに沿って加わった場合には、ペンチップ６９がペンチップ支持部材６２２ａから引き抜かれることを許容する。さらに、ペンチップ留め部材６２２ｂによる摩擦力以上の押付け力が加わった場合には、ペンチップ６９がペンチップ支持部材６２２ａに装着されることを許容する。これにより、ペンチップ６９に対し所定の引っ張り力および押付力を加えることで、ペンチップ６９の交換が可能となる。なお、ペンチップ留め部材６２２ｂは、導電性を有するように構成することもできる。そして例えば、筐体６２１、ペンチップ支持部材６２２ａ等をアルミニウムなどの金属により形成すれば、ペンチップ６９等にて発生する静電気を外部に逃がすことができる。
【００６７】
伝達部材の一例としての継ぎ手部材６２２ｄは、ペンチップ６９と筆圧検知スイッチ６２との間に位置し、ペンチップ６９よりも後方側に位置する筆圧検知スイッチ６２に、ペンチップ６９に作用する媒体からの圧力（筆圧）を伝達する。筆記動作等によりペンチップ６９が媒体に押し付けられた際、ペンチップ６９に加わる圧力によってペンチップ６９はペン軸ｐに沿ってデジタルペン６０の内部側に移動する。これにより、継ぎ手部材６２２ｄは、付勢バネ６２２ｃ等の付勢力に抗して移動され、筆圧検知スイッチ６２を押す。ここで、詳細は後述するが、継ぎ手部材６２２ｄのペンチップ６９側の端部には外径が他の部分よりも大径に構成された大径部６２２ｅが形成され、そして、この大径部６２２ｅは、筐体６２１に形成された所定幅の溝部６２１ａの内部に配置される。それにより、継ぎ手部材６２２ｄの移動範囲（スライド範囲）は、筐体６２１に形成された溝部６２１ａの幅に制限される。なお、継ぎ手部材６２２ｄは、ペン部６２０の軸心に対する傾きがペンチップ６９の傾きよりも小さい状態で配置されている。詳細には、ペン部６２０の軸心に沿うように略平行に配置されている。
【００６８】
検知部の一例としての筆圧検知スイッチ６２は、筆記動作等によってペンチップ６９に圧力が加わった際に、継ぎ手部材６２２ｄからの押圧力を受ける。これにより、筆圧検知スイッチ６２はオンに切り換えられ、デジタルペン６０を動作状態に設定する。なお、本実施形態における筆圧検知スイッチ６２は、本体部６２ｂから突出する作動片６２ａを有するリミットスイッチにより構成されている。ここで、本実施形態では、プリズム６２３ｅ、赤外ＣＭＯＳ６４などが先端側に設けられており、先端側におけるスペースが十分でない。この場合に、筆圧検知スイッチ６２を、プリズム６２３ｅや赤外ＣＭＯＳ６４などの側方に配置してしまうと、ペン部６２０（筐体６２１）が外方に膨らんでしまう。このため本実施形態では、筆圧検知スイッチ６２は、これらの部材よりも後方側に位置している。換言すれば、筆圧スイッチ６２の先端よりも前方にこれらの部材が位置している。但し、部材の形状などによっては、ペン部６２０の軸心方向において、筆圧検知スイッチ６２とこれらの部材とが一部重なるように配置することもできる。即ち、筆圧検知スイッチ６２の後端よりも前方にこれらの部材を配置することもできる。ここで、本実施形態では、プリズム６２３ｅや赤外ＣＭＯＳ６４などが読み取り部の一例として機能している。
【００６９】
なおこの場合において、ペンチップ６９により長いものを用い、ペンチップ６９が、筆圧検知スイッチ６２を直接押圧する構成を採用すると、同図に示す位置よりも外方側に筆圧検知スイッチ６２を設ける必要が生じるため、この場合もペン部６２０が外方に膨らんでしまう。そこで、本実施形態では、ペンチップ６９よりも傾きの小さい継ぎ手部材６２２ｄをペンチップ６９と筆圧検知スイッチ６２との間に配置し、ペンチップ６９から筆圧検知スイッチ６２に至る部分の形状を「ハ」の字状としている。これにより、筆圧検知スイッチ６２をペン部６２０の軸心に近い側に配置することができ、ペン部６２０の小径化を図ることができる。
付勢部材の一例としての付勢バネ６２２ｃは、継ぎ手部材６２２ｄをペンチップ６９側に付勢する。それにより、筆記動作等が行われていない場合には、継ぎ手部材６２２ｄの大径部６２２ｅは、筐体６２１の溝部６２１ａにより制限された移動範囲の中の最もペンチップ６９側に位置する。それによって、筆圧検知スイッチ６２はオフに切り換えられ、デジタルペン６０を動作停止状態に設定する。
【００７０】
次に、キャップ位置検出機能部６２５について説明する。上記のとおり、キャップ位置検出機能部６２５は、ペン部６２０の所定位置にキャップ部６１０が取り付けられたか否かを検出する機能部である。
キャップ位置検出機能部６２５は、基板６２５ａ、基板６２５ａ上に設けられた切替スイッチ６２５ｂ、操作ボタン６２５ｃを備えている。基板６２５ａは、筐体６２１に固定されている。また、操作ボタン６２５ｃは、筐体６２１の軸方向の切替スイッチ６２５ｂ側とは反対側の端部が筐体６２１に固定されている。そして、切替スイッチ６２５ｂ側の端部が操作ボタン６２５ｃ自身の弾性により揺動する。
【００７１】
そして、ペン部６２０にキャップ部６１０が装着されていない場合、操作ボタン６２５ｃの切替スイッチ６２５ｂ側の端部は、筐体６２１の外面から突出するように位置する。また、キャップ部６１０の内周面に設けられた溝部６１６の位置が操作ボタン６２５ｃの位置と一致するようにキャップ部６１０がペン部６２０に装着された場合、即ちキャップ部６１０がペン部６２０の所定位置に取り付けられた場合、操作ボタン６２５ｃの切替スイッチ６２５ｂ側の端部は、筐体６２１の外面から突出するように位置する。これらの場合において、操作ボタン６２５ｃは、切替スイッチ６２５ｂをオフ状態に設定する。そして、切替スイッチ６２５ｂがオフ状態に設定されることにより、符号画像検出部６２３は媒体上の符号画像を読み取ることができる状態に設定される。
【００７２】
一方、キャップ部６１０の内周面に設けられた溝部６１６の位置が操作ボタン６２５ｃの位置と一致しない状態でキャップ部６１０がペン部６２０に装着された場合、即ちキャップ部６１０がペン部６２０に取り付けられてはいるが所定位置に取り付けられていない場合、操作ボタン６２５ｃの切替スイッチ６２５ｂ側の端部は、キャップ部６１０の内周面により筐体６２１の外面から突出しないように位置する。その状態においては、操作ボタン６２５ｃは、切替スイッチ６２５ｂをオン状態に設定する。そして、切替スイッチ６２５ｂがオン状態に設定されることにより、符号画像検出部６２３は媒体上の符号画像を読み取ることができない状態に設定される。
【００７３】
次に、キャップ部６１０について説明する。
キャップ部６１０は、キャップ本体部６１１と、クリップ６１２と、固定ビス６１３と、フィルタ６１４と、包囲部材６１５と、溝部６１６とを備えている。
キャップ本体部６１１は、略円筒状に形成されるとともに、一端部側および他端部に開口を備えている。ここで、キャップ本体部６１１の一端部側における開口には、ペン部６２０の先端側が挿入される。また、キャップ本体部６１１は、先端部側（包囲部材６１５が配置された側）に向かって先細りとなるように形成されている。
【００７４】
クリップ６１２は、同図に示すように、キャップ本体部６１１の軸方向に沿って配置されキャップ本体部６１１の外周面に対向配置された対向片６１２ａと、対向片６１２ａの一端部側に接続して設けられ対向片６１２ａの配置方向と交差する関係で配置される斜辺部６１２ｂとを備える。ここで、斜辺部６１２ｂは、キャップ本体部６１１の軸心に対して所定の傾きを有して配置されている。さらにクリップ６１２は、斜辺部６１２ｂの配置方向と交差する関係で配置されるとともにキャップ本体部６１１の軸心と略直交する関係で配置された平坦部６１２ｃを備えている。さらに、クリップ６１２は、斜辺部６１２ｂおよび平坦部６１２ｃに、赤外ＬＥＤ６３からの赤外光を媒体に対して照射可能とし、媒体からの反射光を赤外ＣＭＯＳ６４にて受光可能とする開口部６１２ｅを備えている。ここで、上記対向片６１２ａは、キャップ本体部６１１との間に形成された間隙に配置された被配置物をキャップ本体部６１１とともに挟み込み、この被配置物に対してデジタルペン６０を固定する。
【００７５】
フィルタ６１４は、クリップ６１２に設けられた上記開口部６１２ｅを塞ぐ形で取り付けられ、キャップ部６１０の内部への埃や水分等の進入を抑制している。なお、フィルタ６１４は、上記赤外光および反射光を透過可能な材質で構成される。
包囲部材６１５は、クリップ６１２に取り付けられるとともに、開口部６１２ｅを塞ぐ形で取り付けられている。また、ペンチップ６９のペン軸ｐの沿うように進退可能に取り付けられている。また、包囲部材６１５は、キャップ部６１０の内部方向に移動した際にクリップ６１２に接触する突出部６１５ａを備えている。これにより包囲部材６１５のキャップ部６１０の内部方向への移動が規制される。また、包囲部材６１５は、クリップ６１２に接触しキャップ部６１０からの包囲部材６１５の離脱を規制する規制片（不図示）を備えている。
【００７６】
溝部６１６は、キャップ本体部６１１の後端部側の内周面の円周方向における所定の範囲に、キャップ本体部６１１の軸方向に沿って形成されている。キャップ部６１０がペン部６２０の所定位置に配置された場合には、操作ボタン６２５ｃの切替スイッチ６２５ｂ側の端部がこの溝部６１６内に位置し、切替スイッチ６２５ｂはオフ状態に設定される。また、キャップ部６１０がペン部６２０の所定位置に配置されていない場合には、操作ボタン６２５ｃの切替スイッチ６２５ｂ側の端部は、キャップ本体部６１１の内周面に押圧される。この結果、切替スイッチ６２５ｂはオン状態に設定される。
【００７７】
ここで、光源、照射部の一例としての赤外ＬＥＤ６３は、出射される赤外光の光軸（赤外ＬＥＤ６３の光軸）（図中矢印Ｂ参照）がペン部６２０の軸心（図１１のＡ−Ａ線参照）に対して傾くように、配置されている。付言すれば、赤外ＬＥＤ６３は、ペン部６２０の軸心に対して所定の角度を有した状態で配置されている。さらに付言すれば、赤外ＬＥＤ６３は、ペンチップ６９が傾く方向（図中上方向）に上記光軸が傾くように配置、即ちペンチップ６９が傾く方向とほぼ同じ方向に傾いて配置されている。また、赤外ＬＥＤ６３は、ペンチップ６９にほぼ沿うように配置されている。ここで、赤外ＬＥＤ６３を、ペンチップ６９が傾く方向とほぼ同じ方向に傾けて配置した場合、赤外ＬＥＤ６３とペンチップ６９とが平行状態に近づくため、例えば赤外ＬＥＤ６３の後端側とペンチップ６９との間に生じうるデッドスペースを少なくすることができる。
また、例えば、図１５（ａ）に示すように、赤外光の光軸とペン部６２０の軸心（図中Ａ−Ａ線参照）とが平行となるように赤外ＬＥＤ６３を設けた場合、媒体からの反射光を適切に受光するためにはプリズム６２３ｅ等を同図に示すように外側に配置する必要がある。一方で、本実施形態のように赤外ＬＥＤ６３を傾けて配置した場合には、同図（ｂ）に示すようにプリズム６２３ｅ等を内側に配置可能となる。この結果、ペン部６２０（筐体６２１）の小径化が可能となる。
【００７８】
なお、例えば、筐体６２１（図１４参照）の肉厚が小さい場合には外部からの光が筐体６２１を透過し、媒体からの反射光以外の光が赤外ＣＭＯＳ６４にて受光されるおそれがある。また、赤外ＬＥＤ６３から出射された赤外光や媒体からの反射光が、筐体６２１の内周面にて乱反射してしまう場合もある。そこで、本実施形態では、筐体６２１の内周面に、光の透過や乱反射を抑制しうる黒色の塗装を施している。なお、この塗装は、筐体６２１の内周面全てに限られず、赤外ＣＭＯＳ６４の受光に影響を与えうる筐体６２１の先端部（センシング箇所）にのみ行うことができる。さらに、塗装に用いる色は、黒色が望ましいが他の色でも構わない。さらに、塗装によらず筐体６２１自身を黒色等に形成することもできる。なお、本実施形態では、キャップ本体部６１１の内周面に対しても黒色の塗装が施されている。ここで、キャップ本体部６１１に対する塗装も、内周面に全体に限られず、赤外ＣＭＯＳ６４の受光に影響を与えうる先端部のみに行うことができる。また、キャップ本体部６１１自身を黒色等で形成することもできる。
【００７９】
ここで図１６は、図１４におけるＣ−Ｃ線における断面を示したものである。
ここで、継ぎ手部材６２２ｄは、棒状に形成されるととともに、上記のとおり、ペンチップ６９側の端部に大径部６２２ｅを備える。さらに、本実施形態では、互いに対向して配置されるとともに所定の間隙をおいて配置され、筐体６２１の内壁から筐体６２１の内部方向に向かって突出したリブ状の第１の規制壁６２１ｂ、第２の規制壁６２１ｃが設けられている。なお、第１の規制壁６２１ｂと第２の規制壁６２１ｃとの間隙の大きさは、大径部６２２ｅの軸方向における長さよりも大きく設定されている。ここで上記溝部６２１ａ（図１４参照）は、第１の規制壁６２１ｂと第２の規制壁６２１ｃとによって形成されている。
【００８０】
大径部６２２ｅは、第１の規制壁６２１ｂと第２の規制壁６２１ｃとの間隙に配置される。また、大径部６２２ｅは、継ぎ手部材６２２ｄが先端側に移動（スライド）した際に、第１の規制壁６２１ｂに接触し継ぎ手部材６２２ｄの先端側への移動を規制する。また、大径部６２２ｅは、継ぎ手部材６２２ｄが後端側に移動した際に、第２の規制壁６２１ｃに接触し継ぎ手部材６２２ｄの後端側への移動（スライド）を規制する。さらに本実施形態では、継ぎ手部材６２２ｄのスライドをガイドするガイド部６２１ｄが設けられる。そして、付勢バネ６２２ｃは、ガイド部６２１ｄと大径部６２２ｅとの間に配置される。ここで、本実施形態における第１の規制壁６２１ｂおよび第２の規制壁６２１ｃは、前方へスライドした継ぎ手部材６２２ｄを停止させ、また後方へスライドした継ぎ手部材６２２ｄを停止させる停止部として捉えることができる。
【００８１】
本実施形態では、第１の規制壁６２１ｂが設けられているために、筐体６２１からのペンチップ６９の飛び出しなどを抑制することができる。また、第２の規制壁６２１ｃが設けられているために、ペンチップ６９からの圧力による筆圧検知スイッチ６２の破損などが抑制される。ここで図１４を再度参照して詳細に説明すると、本実施形態では、継ぎ手部材６２２ｄの後端側へのスライド量Ｂの方が、筆圧検知スイッチ６２の作動片６２ａが下死点まで達するスライド量Ａよりも、小さい状態となっている。即ち、関係式：スライド量Ｂ＜スライド量Ａが成立する状態となっている。この結果、ユーザは、押しすぎ（ペンチップ６９の押し付けすぎ）を気にせずに筆記を行うことができ、使用上の制約を受けずに筆記を行うことが可能となる。
【００８２】
ここで、ペンチップ６９に対しては筆圧検知スイッチ６２も付勢力を作用させるが、この付勢力は一般的に小さい。そこで、本実施形態では、付勢バネ６２２ｃを更に設け、ペンチップ６９に作用する付勢力を高めている。付勢バネ６２２ｃを設けない場合、筆圧検知スイッチ６２のみによりペンチップ６９の移動開始圧力が設定されることとなるが、筆圧検知スイッチ６２にて生じる付勢力には一定の制約がある。この結果、ユーザの満足する移動開始圧力を確保できない場合がある。本実施形態のように別途付勢バネ６２２ｃを設ければ、ユーザが満足する移動開始圧力を設定可能となる。さらに、付勢バネ６２２ｃの種類を異ならせることで、移動開始圧力が各々異なる複数種類のデジタルペン６０を提供することが可能となる。即ち、ユーザの筆圧に適したデジタルペン６０を提供可能となる。
【００８３】
ここで、図１７は、符号画像の読み取り時におけるデジタルペン６０の姿勢を示したものである。
キャップ部６１０が取り付けられていない状態では、同図（ａ）に示すように、ペンチップ６９が媒体によって押圧されるとともに、押圧力（筆圧）が継ぎ手部材６２２ｄ（図１４参照）を介して筆圧検知スイッチ６２に伝達され、筆圧検知スイッチ６２がオンに切り替えられる。これによりデジタルペン６０は、動作状態とされ、赤外ＬＥＤ６３から赤外光が照射されるとともに、媒体からの反射光が赤外ＣＭＯＳ６４にて受光され、媒体から符号画像の読み取りが行われる。
【００８４】
また、操作ボタン６２４ｃが押圧され且つペンチップ６９が媒体によって押圧された場合には、媒体から符号画像の読み取りが行われるとともに、制御回路６１（図５参照）に対して、読み取られた符号画像に基づく識別情報および位置情報に対応付けられた所定の情報源へのリンクを指示する信号が送られる。これにより、例えば、端末装置５０（図１参照）におけるディスプレイに、識別情報および位置情報に対応付けられている所定の情報の表示が可能となる。なお、本実施形態における構成では、媒体に対するデジタルペン６０の傾きαが、３０°≦α≦１５０°の範囲内にある場合に、符号画像を適切に読み取り可能となっている。
【００８５】
一方、キャップ部６１０がペン部６２０の所定位置に取り付けられている状態では、同図（ｂ）に示すように、包囲部材６１５が媒体によって押圧されるとともに、包囲部材６１５からペンチップ６９に圧力（筆圧）が伝達される。その後、この圧力は、ペンチップ６９、継ぎ手部材６２２ｄを介して筆圧検知スイッチ６２に伝達され、筆圧検知スイッチ６２がオンに切り替えられる。これによりデジタルペン６０は、動作状態とされ、赤外ＬＥＤ６３から赤外光が照射されるとともに、媒体からの反射光が赤外ＣＭＯＳ６４にて受光される。操作ボタン６２４ｃが押圧された状態で、包囲部材６１５（デジタルペン６０）が媒体に押し付けられた場合、上記同様、媒体から符号画像の読み取りが行われるとともに、制御回路６１（図５参照）に対して、読み取られた符号画像に基づく識別情報および位置情報に対応付けられた所定の情報源へのリンクを指示する信号が送られる。このためこの場合も、例えば、端末装置５０におけるディスプレイに、識別情報および位置情報に対応付けられている所定の情報の表示が可能となる。
【００８６】
また、本実施形態では、クリップ６１２に平坦状の斜辺部６１２ｂが形成されている。この構成にて媒体へのデジタルペン６０の押付がなされる場合、一般的には、同図（ｂ）のように斜辺部６１２ｂが媒体に押し付けられ、デジタルペン６０は傾いた状態とされる。そして、この状態にて赤外ＬＥＤ６３から赤外光が出射され、反射光が赤外ＣＭＯＳ６４にて受光される。この状態では、対向片６１２ａがキャップ本体部６１１よりも下方に配置される。このため、符号画像の読み取り時におけるユーザの視認性を良好なものとすることができる。なお、本実施形態では、媒体に対して斜辺部６１２ｂが押し付けられた際、デジタルペン６０の媒体に対する角度αは、７０°となる。
【００８７】
ここで、図１８、図１９は、デジタルペン６０の寸法関係等を説明する図である。本実施形態におけるデジタルペン６０は、以下の関係式（１）を有した状態となっている。また、本実施形態のデジタルペン６０は、以下の関係式（２）〜（４）を満足するように各部の寸法等を設定することが好ましい。なお、関係式（２）〜（４）は、その全てを満足することが最も好ましいが、これらのうちのいずれかを満足する状態でも構わない。
（１）…Ｌａｌｌ＝Ｌｃｐ＋Ｌｐｅｎ＋Ｌｓｈｔ＋Ｌｓｗ＋Ｘ２
（２）…キャップ部６１０が非装着時、且つ、付勢バネ６２２ｃの長さがＬｐ２時における筆圧Ｈｃｐｎ≦０．５〜２．０［Ｎ］
（３）…キャップ部６１０が装着時、且つ、付勢バネ６２２ｃの長さがＬｐ２時における筆圧Ｈｃｐｙ≦０．２〜１．０［Ｎ］
（４）…Ｌｓｗｓ＜Ｌｓｗ＜Ｌｓｗ＋Ｘ２≦Ｌｓｗｌ
【００８８】
以下、各々の関係式について説明していく。
まず、（１）の関係式は、図１８（ｃ）に示すように、デジタルペン６０の軸方向において、筆圧検知スイッチ６２の本体部６２ｂの先端から、包囲部材６１５における突出部６１５ａまでの寸法Ｌａｌｌについて示している。本実施形態におけるこのＬａｌｌは、上記および下記に記すとおり、以下の関係となっている。
（１）…Ｌａｌｌ＝Ｌｃｐ＋Ｌｐｅｎ＋Ｌｓｈｔ＋Ｌｓｗ＋Ｘ２
ここで、Ｌｃｐは、図１８（ａ）に示すように、クリップ６１２における平坦部６１２ｃと包囲部材６１５における突出部６１５ａとの間隙の大きさを示しており、具体的には、以下のようになっている。
・Ｌｃｐ＝Ｘ２＋（０〜０．３）ｍｍ
なお、ここでＸ２は、図１８（ｂ）に示すようにペンチップ６９（継ぎ手部材６２２ｄ）のストローク量である。また、（０〜０．３）ｍｍは、ペンチップ６９や継ぎ手部材６２２ｄなどにおける部品のばらつき量により加算される値である。
【００８９】
また、Ｌｐｅｎは、図１９（ａ）に示すように、デジタルペン６０の軸方向における、ペンチップ６９の長さを示している。このＬｐｅｎは、ペンチップ６９の全長をＬ、ペンチップ６９の傾きをαとすれば、以下のように表すことができる。
・Ｌｐｅｎ＝Ｌ＊ｃｏｓα
また、Ｌｓｈｔは、継ぎ手部材６２２ｄの全長を示している。
さらに、Ｌｓｗは、図１９（ｂ１）に示すように、ペンチップ６９が後退し筆圧検知スイッチ６２がオン状態のとき、換言すれば図１８（ｂ）に示す大径部６２２ｅが第２の規制壁６２１ｃに接触しているときの作動片６２ａの突出量を示している。
また、Ｘ２は、上記のように、ペンチップ６９（継ぎ手部材６２２ｄ）のストローク量を示している。なお、このストローク量は、０．２〜０．７ｍｍとすることが好ましい。
【００９０】
次に、関係式（２）について説明する。関係式（２）は、上記および下記に示す関係となっている。
（２）…キャップ部６１０が非装着時、且つ、付勢バネ６２２ｃの長さがＬｐ２時における筆圧Ｈｃｐｎ≦０．５〜２．０［Ｎ］
ここで、付勢バネ６２２ｃの長さについて図１８（ｂ）を用いて説明する。自由長Ｌｐ０を有する本実施形態における付勢バネ６２２ｃは、初期たわみ量Ｘ１を減じた長さＬｐ１を有した状態でデジタルペン６０の内部に装着されている。そして、筆圧を受けた際には、継ぎ手部材６２２ｄのストローク量Ｘ２を減じた長さＬｐ２を有する状態となる。
ここで上記関係式（２）は、キャップ部６１０が装着されず、且つ、付勢バネ６２２ｃが上記長さＬｐ２となる際の筆圧Ｈｃｐｎを示したものである。
【００９１】
次に、関係式（３）について説明する。関係式（３）は、上記および下記に示すとおりである。
（３）…キャップ部６１０が装着時、且つ、付勢バネ６２２ｃの長さがＬｐ２時における筆圧Ｈｃｐｙ≦０．２〜１．０［Ｎ］
本関係式は、キャップ部６１０が装着され、且つ、付勢バネ６２２ｃの長さが上記Ｌｐ２となる際の筆圧Ｈｃｐｙを示したものである。なお、キャップ部６１０が装着された際には、包囲部材６１５とクリップ６１２との摺動抵抗等も加わるようになるため、キャップ部６１０の装着時における筆圧Ｈｃｐｙは、キャップ部６１０の非装着時における筆圧Ｈｃｐｎよりも高くなる傾向にある。
【００９２】
次いで、関係式（４）について説明する。関係式（４）は、上記および下記に示すとおりである。
（４）…Ｌｓｗｓ＜Ｌｓｗ＜Ｌｓｗ＋Ｘ２≦Ｌｓｗｌ
ここで、本関係式（４）は、図１９（ｂ）に示すように、筆圧検知スイッチ６２における作動片６２ａの本体部６２ｂからの突出量を規定している。
ここで、Ｌｓｗｓは、同図（ｂ２）に示すように、作動片６２ａが下死点に位置する際の作動片６２ａの突出量を示している。換言すれば、作動片６２ａの最小突出量を示している。
また、Ｌｓｗは、上記および同図（ｂ１）に示すとおり、ペンチップ６９が後退し筆圧検知スイッチ６２がオン状態のとき、換言すれば図１８（ｂ）に示す大径部６２２ｅが第２の規制壁６２１ｃに接触している時の作動片６２ａの突出量を示している。
また、Ｘ２は、上記のとおり、ペンチップ６９（継ぎ手部材６２２ｄ）のストローク量を示している。
一方、Ｌｓｗｌは、図１９（ｂ３）に示すように、作動片６２ａが上死点に位置する際、換言すれば作動片６２ａが自由状態にある際の、作動片６２ａの突出量を示している。ここで、Ｌｓｗｌと（Ｌｓｗ＋Ｘ２）とは、等しい関係とすることもできるし、Ｌｓｗｌが（Ｌｓｗ＋Ｘ２）よりも大きい関係とすることができる。
【図面の簡単な説明】
【００９３】
【図１】本実施の形態の筆跡情報管理システムの構成の一例を示した図である。
【図２】文書サーバの機能構成の一例を示したブロック図である。
【図３】符号画像を構成する画像等の一例を示した図である。
【図４】識別情報サーバの機能構成の一例を示したブロック図である。
【図５】デジタルペンの機能構成の概略を説明する図である。
【図６】制御回路の機能構成の一例を示したブロック図である。
【図７】筆跡情報管理システムにて印刷文書が生成される際の動作の一例を示したシーケンス図である。
【図８】筆跡情報を登録する際の識別情報サーバおよび文書サーバの動作の一例を示したシーケンス図である。
【図９】コンピュータのハードウェア構成を示した図である。
【図１０】デジタルペンの全体構成を説明する図である。
【図１１】ペン部の構成を説明する断面図である。
【図１２】符号画像検出部を説明する図である。
【図１３】操作表示部を説明する図である。
【図１４】筆記検知機能部、キャップ位置検出機能部、およびキャップ部を説明する図である。
【図１５】赤外ＬＥＤの配置を説明するための図である。
【図１６】図１４におけるＣ−Ｃ線における断面を示したものである。
【図１７】符号画像の読み取り時におけるデジタルペンの姿勢を示したものである。
【図１８】デジタルペンの寸法関係等を説明する図である。
【図１９】デジタルペンの寸法関係等を説明する図である。
【符号の説明】
【００９４】
６０…デジタルペン、６２…筆圧検知スイッチ、６３…赤外ＬＥＤ、６４…赤外ＣＭＯＳ、６９…ペンチップ、６２０…ペン部、６２１…筐体、６２１ｂ…第１の規制壁、６２１ｃ…第２の規制壁、６２２ｂ…ペンチップ留め部材、６２２ｃ…付勢バネ、６２２ｄ…継ぎ手部材、６２３ｅ…プリズム
【図１】
2009181507.tif 000003
【図２】
2009181507.tif 000004
【図３】
2009181507.tif 000005
【図４】
2009181507.tif 000006
【図５】
2009181507.tif 000007
【図６】
2009181507.tif 000008
【図７】
2009181507.tif 000009
【図８】
2009181507.tif 000010
【図９】
2009181507.tif 000011
【図１０】
2009181507.tif 000012
【図１１】
2009181507.tif 000013
【図１２】
2009181507.tif 000014
【図１３】
2009181507.tif 000015
【図１４】
2009181507.tif 000016
【図１５】
2009181507.tif 000017
【図１６】
2009181507.tif 000018
【図１７】
2009181507.tif 000019
【図１８】
2009181507.tif 000020
【図１９】
2009181507.tif 000021